(57)【特許請求の範囲】
【請求項１】
接触機構部を備え上方を開口部としたハウジングにプランジャを配設し、該プランジャの上方に表示装置を配設するとともに該表示装置を覆うように前記プランジャと嵌合するボタンからなり、前記プランジャの上下動を前記ハウジング内で案内し、前記接触機構部と連動させて電路の開閉を行うとともに前記ボタン上面の表示部に表示可能な表示装置付き押ボタンスイッチにおいて、前記表示装置を表示可能領域の周囲に設けられた４辺の額縁の幅を０．７ｍｍ以下とした狭額縁表示装置とし、前記ボタンは四角形状の樹脂部の側面を切れ目なく囲うように金属部が形成されるとともに前記樹脂部と一体的に形成され、前記金属部には外側に向かって広がるテーパ状をなす前記樹脂部と組み付く剥がれ防止用孔が形成され、前記金属部と前記樹脂部とが一体化され、前記ボタンの側面の厚さを０．３ｍｍ以下とし、前記ボタン上面の表示部の周囲の額縁を１ｍｍ以下としたことを特徴とする狭額縁表示装置付き押ボタンスイッチ。
【請求項２】
請求項１記載の狭額縁表示装置付き押ボタンスイッチにおいて、上部を前記プランジャと嵌合し、下部を前記ハウジングの上面周囲に設けられた鍔部と嵌合するパッキンを配設したことを特徴とする狭額縁表示装置付き押ボタンスイッチ。
【発明の詳細な説明】
【技術分野】
【０００１】
本発明は、狭額縁表示装置付き押ボタンスイッチに関するものである。
【背景技術】
【０００２】
従来の表示装置付き押ボタンスイッチは、操作部に液晶表示装置を備えたもの（下記特許文献１）や有機発光表示装置を備えたもの（下記特許文献２）があり、上下動可能なボタンの内部に表示を変化させることができる表示装置が配設されている。
【先行技術文献】
【特許文献】
【０００３】
【特許文献１】特開２００９−０４８９０４号
【特許文献２】特開２００９−１０４９３９号
【発明の概要】
【発明が解決しようとする課題】
【０００４】
しかしながら、上記した従来の表示装置付き押ボタンスイッチでは、表示装置の表示可能領域の周囲に設けられた額縁が広いため、ボタン上面の面積に対する表示部の面積が小さかった。また、スイッチを連続して並べて使用したときに、額縁によって表示部同士の間隔が広くなるため、複数のスイッチを連続して並べて一つの画像として表示することが困難であった。
【０００５】
また、表示装置と操作者との絶縁を図るために、表示装置を覆うボタンを樹脂で形成しているが、額縁を狭くするためにボタン側面を薄肉にすると強度を保つことができなかった。そこで、強度を保つために樹脂を金属などの硬い材料に変更して形成することは一般的であるが、表示装置との接触面に絶縁処理を施す必要があり、その手法としては塗装や絶縁フィルムの貼付などが考えられるが、塗装のムラや組立時の塗装剥がれやフィルム剥がれなどの問題があった。
【０００６】
そこで本発明は、上記状況に鑑みて、ボタン上面の面積に対する表示部の面積が広く、視認性を向上することができる狭額縁表示装置付き押ボタンスイッチを提供することを目的とする。
【課題を解決するための手段】
【０００７】
本発明は、上記目的を達成するために、
〔１〕接触機構部（７）を備え上方を開口部としたハウジング（５）にプランジャ（４）を配設し、該プランジャ（４）の上方に表示装置（２）を配設するとともに該表示装置（２）を覆うように前記プランジャ（４）と嵌合するボタン（１）からなり、前記プランジャ（４）の上下動を前記ハウジング（５）内で案内し、前記接触機構部（７）と連動させて電路の開閉を行うとともに前記ボタン（１）上面の表示部（１ｅ）に表示可能な表示装置付き押ボタンスイッチにおいて、前記表示装置（２）を表示可能領域（２ｂ）の周囲に設けられた４辺の額縁（２ｃ）の幅を０．７ｍｍ以下とした狭額縁表示装置とし、前記ボタン（１）は四角形状の樹脂部（１ａ）の側面を切れ目なく囲うように金属部（１ｂ）が形成されるとともに前記樹脂部（１ａ）と一体的に形成され、前記金属部（１ｂ）には外側に向かって広がるテーパ状をなす前記樹脂部（１ａ）と組み付く剥がれ防止用孔（１ｃ）が形成され、前記金属部（１ｂ）と前記樹脂部（１ａ）とが一体化され、前記ボタン（１）の側面の厚さを０．３ｍｍ以下とし、前記ボタン（１）上面の表示部（１ｅ）の周囲の額縁（１ｆ）を１ｍｍ以下としたことを特徴とする。
〔２〕上記〔１〕記載の狭額縁表示装置付き押ボタンスイッチにおいて、上部を前記プランジャ（４）と嵌合し、下部を前記ハウジング（５）の上面周囲に設けられた鍔部（５ｂ）と嵌合するパッキン（１９）を配設したことを特徴とする。
【発明の効果】
【０００８】
本発明によれば、次のような効果を奏することができる。
（１）表示可能領域の周囲に設けられた４辺の額縁の幅を０．７ｍｍ以下とした狭額縁表示装置を具備するとともに、金属部と樹脂部とを一体的に形成したボタンの側面の厚さを０．３ｍｍ以下とし、ボタン上面の額縁を１ｍｍ以下としたため、ボタン上面の面積に対する表示部の面積を広くすることができ、視認性の向上を図ることができる。
（２）表示可能領域の周囲に設けられた４辺の額縁の幅を０．７ｍｍ以下とした狭額縁表示装置を具備するとともに、金属部と樹脂部とを一体的に形成したボタンの側面の厚さを０．３ｍｍ以下とし、ボタン上面の額縁を１ｍｍ以下としたため、複数のスイッチを隣接させて並べたときに、各スイッチの表示部同士の間隔を狭めることができるため、複数のスイッチの表示部を組み合わせて一つの画像を構成することができる。
（３）ボタンを四角形状の樹脂部の側面を切れ目なく囲うように金属部が形成されるとともに樹脂部と一体的に形成したので、絶縁性および耐電圧を確保するとともに、ボタンに対する外力からの強度を確保することができる。
（４）ボタンを四角形状の樹脂部の側面を切れ目なく囲うように金属部が形成されるとともに樹脂部と一体的に形成したので、ボタン内部への浸水を防ぐことができる。
（５）プランジャとハウジングの間にパッキンを設けたので、ハウジング内およびスイッチをパネルに取り付けたときのパネル内への浸水を防ぐことができる。
（６）プランジャとハウジングの間にパッキンを設けたので、プランジャ全体を均一に上方に押し上げ、ボタンが傾くことなく水平に保持されるため、複数のスイッチを連続して配備したときの面一性に寄与するとともに、スムーズな操作を支援することができる。
【図面の簡単な説明】
【０００９】
【図１】本発明の第１実施例を表す狭額縁表示装置付き押ボタンスイッチの斜視図である。
【図２】本発明の第１実施例を表す狭額縁表示装置付き押ボタンスイッチの分解斜視図である。
【図３】本発明の第１実施例を表す狭額縁表示装置付き押ボタンスイッチの正面図である。
【図４】本発明の第１実施例を表す狭額縁表示装置付き押ボタンスイッチの平面図である。
【図５】本発明の第１実施例を表す図４のＡ−Ａ断面図である。
【図６】本発明の第２実施例を表す狭額縁表示装置付き押ボタンスイッチの斜視図である。
【図７】本発明の第２実施例を表す狭額縁表示装置付き押ボタンスイッチの分解斜視図である。
【図８】本発明の第２実施例を表す狭額縁表示装置付き押ボタンスイッチの正面図である。
【図９】本発明の第２実施例を表す狭額縁表示装置付き押ボタンスイッチの平面図である。
【図１０】本発明の第２実施例を表す図９のＢ−Ｂ断面図である。
【発明を実施するための形態】
【００１０】
本発明の狭額縁表示装置付き押ボタンスイッチは、接触機構部を備え上方を開口部としたハウジングにプランジャを配設し、該プランジャの上方に表示装置を配設するとともに該表示装置を覆うように前記プランジャと嵌合するボタンからなり、前記プランジャの上下動を前記ハウジング内で案内し、前記接触機構部と連動させて電路の開閉を行うとともに前記ボタン上面の表示部に表示可能な表示装置付き押ボタンスイッチにおいて、前記表示装置を表示可能領域の周囲に設けられた４辺の額縁の幅を０．７ｍｍ以下とした狭額縁表示装置とし、前記ボタンは四角形状の樹脂部の側面を切れ目なく囲うように金属部が形成されるとともに前記樹脂部と一体的に形成され、前記金属部には外側に向かって広がるテーパ状をなす前記樹脂部と組み付く剥がれ防止用孔が形成され、前記金属部と前記樹脂部とが一体化され、前記ボタンの側面の厚さを０．３ｍｍ以下とし、前記ボタン上面の表示部の周囲の額縁を１ｍｍ以下とする。
【実施例】
【００１１】
以下、本発明の実施例について、図面を参照しながら詳細に説明する。
【００１２】
図１は本発明の第１実施例を表す狭額縁表示装置付き押ボタンスイッチの斜視図、図２は本発明の第１実施例を表す狭額縁表示装置付き押ボタンスイッチの分解斜視図、図３は本発明の第１実施例を表す狭額縁表示装置付き押ボタンスイッチの正面図、図４は本発明の第１実施例を表す狭額縁表示装置付き押ボタンスイッチの平面図、図５は本発明の第１実施例を表す図４のＡ−Ａ断面図である。
【００１３】
これらの図において、１はボタン、２は狭額縁表示装置、３はパッキンＡ、４はプランジャ、５はハウジング、６はハウジング５内に配設されるコネクタ、７はハウジング５内に配設されるスイッチ素子、８はスイッチ素子７上面に配設されるテーパバネである。ボタン１は、透明樹脂からなる四角形状の樹脂部１ａと、樹脂部１ａの側面を切れ目なく囲う金属部１ｂとが一体的に形成され、金属部１ｂには外側に向かって広がるテーパ状をなし樹脂部１ａと組み付く剥がれ防止用孔１ｃと、垂下部１ｄが形成されている。狭額縁表示装置２には、基板２ａ上面に表示可能領域２ｂと、表示可能領域２ｂの周囲に額縁２ｃが形成され、下面にはフレキシブルプリント基板２ｄが配設されている。プランジャ４は、底面部を有する略四角筒状で、対向する二つの側面にハウジング５と摺動自在に係合する垂下片４ａと、上方の外周部に段部４ｂと、内側面にガイド部４ｃと、裏面にスイッチ素子７を操作する押下突起４ｄと４隅に上下動をガイドする摺動突起４ｅが形成されている。ハウジング５は、底面部を有する略四角筒状で、対向する二つの側面にプランジャ４の垂下片４ａと係合する係合溝５ａと、他の対向する側面に板バネ５ｃと、開口部の周縁に鍔部５ｂが形成されている。ここで、樹脂部１ａと金属部１ｂとで形成されるボタン１の側面の厚さは０．３ｍｍ以下であることが好ましく、狭額縁表示装置２の額縁２ｃの幅は０．７ｍｍ以下であることが好ましい。ボタン１側面の厚さを０．３ｍｍ以下および額縁２ｃの幅を０．７ｍｍ以下とすることで、ボタン１上面の表示部１ｅの周囲の額縁１ｆの幅が１ｍｍ以下となり、ボタン１上面の面積に対する表示部１ｅの面積を広くすることができる。
【００１４】
プランジャ４の上面にパッキンＡ３を介して狭額縁表示装置２が配設され、フレキシブルプリント基板２ｄがガイド部４ｃに誘導されてプランジャ４の下方に導出される。ボタン１が狭額縁表示装置２を覆うようにプランジャ４に被され、垂下部１ｄがプランジャ４側に折り曲げられて段部４ｂと嵌合される。ハウジング５にコネクタ６およびスイッチ素子７が配設され、端子６ａおよび７ａがハウジング５下方に突出され、スイッチ素子７の上面にはプランジャ４を上方に付勢するテーパバネ８が配設される。そして、コネクタ６にフレキシブルプリント基板２ｄが接続され、プランジャ４の垂下片４ａがハウジング５の係合溝５ａに摺動自在に係合することで、狭額縁表示装置付き押ボタンスイッチが完成される。
【００１５】
以上のように構成された本発明の狭額縁表示装置付き押ボタンスイッチは、ボタン１の操作に伴ってプランジャ４が上下動し、操作部７ｂを押下突起４ｄが操作することでスイッチ素子７をＯＮ／ＯＦＦさせて電路の開閉を行う。このとき、ボタン１の操作に応じて表示部１ｅの表示を変化させることができる。
【００１６】
このように、本実施例に示す狭額縁表示装置付き押ボタンスイッチは、ボタン１上面の面積に対する表示部１ｅの面積を広くすることができるため、視認性の向上を図ることができるという特徴を有している。
【００１７】
本実施例では、ボタンとプランジャの嵌合をボタンの垂下部を折り曲げてプランジャの段部に嵌合しているが、ボタンおよびプランジャに凹部および凸部を形成し凹凸嵌合としてもよい。プランジャの高さは狭額縁表示装置のフレキシブルプリント基板への負荷を考慮して形成しているが、フレキシブルプリント基板の基板からの導出方向によって薄型化してもよい。接触機構部をタクトスイッチとしているが、プランジャの上下動に伴って操作可能な他のスイッチ素子にしてもよく、種々の方法が考えられる。
【００１８】
図６は本発明の第２実施例を表す狭額縁表示装置付き押ボタンスイッチの斜視図、図７は本発明の第２実施例を表す狭額縁表示装置付き押ボタンスイッチの分解斜視図、図８は本発明の第２実施例を表す狭額縁表示装置付き押ボタンスイッチの正面図、図９は本発明の第２実施例を表す狭額縁表示装置付き押ボタンスイッチの平面図、図１０は本発明の第２実施例を表す図９のＢ−Ｂ断面図である。
【００１９】
これらの図において、１１はボタン、１２は狭額縁表示装置、１３はパッキンＡ、１４はプランジャ、１５はハウジング、１６はハウジング１５内に配設されるコネクタ、１７はハウジング１５内に配設されるスイッチ素子、１８はスイッチ素子１７上面に配設されるテーパバネ、１９はプランジャ１４とハウジング１５の間に配設されるパッキンＢである。ボタン１１は、透明樹脂からなる四角形状の樹脂部１１ａと、樹脂部１１ａの側面を切れ目なく囲う金属部１１ｂとが一体的に形成され、金属部１１ｂには外側に向かって広がるテーパ状をなし樹脂部１１ａと組み付く剥がれ防止用孔１１ｃと、垂下部１１ｄが形成されている。狭額縁表示装置１２には、基板１２ａ上面に表示可能領域１２ｂと、表示可能領域１２ｂの周囲に額縁１２ｃが形成され、下面にはフレキシブルプリント基板１２ｄが配設されている。プランジャ１４は、底面部を有する略四角筒状で、対向する二つの側面にハウジング１５と摺動自在に係合する垂下片１４ａと、上方の外周部に段部１４ｂと、内側面にガイド部１４ｃと、裏面にスイッチ素子１７を操作する押下突起１４ｄと４隅に上下動をガイドする摺動突起１４ｅと、段部１４ｂの下方に嵌合溝１４ｆが形成されている。ハウジング１５は、底面部を有する略四角筒状で、対向する二つの側面にプランジャ１４の垂下片１４ａと係合する係合溝１５ａと、他の対向する側面に板バネ１５ｃと、開口部の周縁に鍔部１５ｂが形成されている。パッキンＢ１９は、略四角筒状で、上方にプランジャ１４の嵌合溝１４ｆと嵌合する周縁部１９ａと、下方にハウジング１５の鍔部１５ｂと嵌合する嵌合部１９ｂが形成されている。ここで、樹脂部１１ａと金属部１１ｂとで形成されるボタン１１の側面の厚さは０．３ｍｍ以下であることが好ましく、狭額縁表示装置１２の額縁１２ｃの幅は０．７ｍｍ以下であることが好ましい。ボタン１１側面の厚さを０．３ｍｍ以下および額縁１２ｃの幅を０．７ｍｍ以下とすることで、ボタン１１上面の表示部１１ｅの周囲の額縁１１ｆの幅が１ｍｍ以下となり、ボタン１１上面の面積に対する表示部１１ｅの面積を広くすることができる。
【００２０】
プランジャ１４の上面にパッキンＡ１３を介して狭額縁表示装置１２が配設され、フレキシブルプリント基板１２ｄがガイド部１４ｃに誘導されてプランジャ１４の下方に導出される。ボタン１１が狭額縁表示装置１２を覆うようにプランジャ１４に被され、垂下部１１ｄがプランジャ１４側に折り曲げられて段部１４ｂと嵌合され、嵌合溝１４ｆにパッキンＢ１９の周縁部１９ａが嵌合される。ハウジング１５にコネクタ１６およびスイッチ素子１７が配設され、端子１６ａおよび１７ａがハウジング１５下方に突出され、スイッチ素子１７の上面にはプランジャ１４を上方に付勢するテーパバネ１８が配設される。そして、コネクタ１６にフレキシブルプリント基板１２ｄが接続され、プランジャ１４の垂下片１４ａがハウジング１５の係合溝１５ａに摺動自在に係合され、パッキンＢ１９の嵌合部１９ｂがハウジング１５の鍔部１５ｂと嵌合することで、狭額縁表示装置付き押ボタンスイッチが完成される。
【００２１】
以上のように構成された本発明の狭額縁表示装置付き押ボタンスイッチは、ボタン１１の操作に伴ってプランジャ１４が上下動し、操作部１７ｂを押下突起１４ｄが操作することでスイッチ素子１７をＯＮ／ＯＦＦさせて電路の開閉を行う。このとき、ボタン１１の操作に応じて表示部１１ｅの表示を変化させることができる。
【００２２】
このように、本実施例に示す狭額縁表示装置付き押ボタンスイッチは、ボタン１１上面の面積に対する表示部１１ｅの面積を広くすることができるため、視認性の向上を図ることができるという特徴を有している。さらに、プランジャ１４とハウジング１５の間にパッキンＢ１９を設けたため、スイッチをパネルに取り付けたときに、パネル内への浸水を防ぐことができるという特徴を有している。また、パッキンＢ１９によりプランジャ１４全体を均一に上方に押し上げてボタン１１を水平に保持することで、複数のスイッチを連続して配備したときの面一性に寄与するとともに、スムーズな操作を支援することができるという特徴を有している。
【００２３】
本実施例では、ボタンとプランジャの嵌合をボタンの垂下部を折り曲げてプランジャの段部に嵌合しているが、ボタンおよびプランジャに凹部および凸部を形成し凹凸嵌合としてもよい。プランジャの高さは狭額縁表示装置のフレキシブルプリント基板への負荷を考慮して形成しているが、フレキシブルプリント基板の基板からの導出方向によって薄型化してもよい。接触機構部をタクトスイッチとしているが、プランジャの上下動に伴って操作可能な他のスイッチ素子にしてもよく、種々の方法が考えられる。
【００２４】
なお、本発明は上記の実施例に限定されるものではなく、本発明の趣旨に基づき種々の変形が可能であり、これらを本発明の範囲から排除するものではない。
【産業上の利用可能性】
【００２５】
本発明の狭額縁表示装置付き押ボタンスイッチは、ボタン上面の面積に対する表示部の面積が広く、視認性を向上することができる狭額縁表示装置付き押ボタンスイッチとして利用可能である。
【符号の説明】
【００２６】
１，１１                    ボタン
１ａ，１１ａ                樹脂部
１ｂ，１１ｂ                金属部
１ｃ，１１ｃ                剥がれ防止用孔
１ｄ，１１ｄ                垂下部
１ｅ，１１ｅ                表示部
１ｆ，１１ｆ                額縁
２，１２                    狭額縁表示装置
２ａ，１２ａ                基板
２ｂ，１２ｂ                表示可能領域
２ｃ，１２ｃ                額縁
２ｄ，１２ｄ                フレキシブルプリント基板
３，１３                    パッキンＡ
４，１４                    プランジャ
４ａ，１４ａ                垂下片
４ｂ，１４ｂ                段部
４ｃ，１４ｃ                ガイド部
４ｄ，１４ｄ                押下突起
４ｅ，１４ｅ                摺動突起
１４ｆ                      嵌合溝
５，１５                    ハウジング
５ａ，１５ａ                係合溝
５ｂ，１５ｂ                鍔部
５ｃ，１５ｃ                板バネ
６，１６                    コネクタ
６ａ，１６ａ，７ａ，１７ａ  端子
７，１７                    スイッチ素子
７ａ，１７ａ                操作部
８，１８                    テーパバネ
１９                        パッキンＢ
１９ａ                      周縁部
１９ｂ                      嵌合部
【図１】
0005473142.tif 000002
【図２】
0005473142.tif 000003
【図３】
0005473142.tif 000004
【図４】
0005473142.tif 000005
【図５】
0005473142.tif 000006
【図６】
0005473142.tif 000007
【図７】
0005473142.tif 000008
【図８】
0005473142.tif 000009
【図９】
0005473142.tif 000010
【図１０】
0005473142.tif 000011